(57)【要約】【課題】作業者が前扉を本体ケースに対して施錠する作業をアシストし、作業者にかかる負荷を軽減することのできる遊技機用施錠装置を提供すること。【解決手段】遊技機用施錠装置１０が、前記本体ケース２における他辺部２ｂの略中間部に設けられた被係止部４と前記前扉３における他辺部３ｂの略中間部に設けられると共に前記被係止部４に対面するロック部６とで構成され、前記ロック部６は、前記本体ケース２の被係止部４を係止する係止位置と前記本体ケース２の被係止部４を係止しない非係止位置とに切替え可能に設けられた係止爪部材６１と、前記係止爪部材６１に設けられた突起部６１ｐと係合可能であるカム部材６６とを備え、該カム部材６６が前記突起部６１ｐと係合した状態で回転させられる場合に、前記係止爪部材６１は前記突起部６１ｐと共に回動し、前記係止位置へと切替えられる構成としたこと。【選択図】  図４
2005087692.tif 000002
【特許請求の範囲】
【請求項１】
前扉の一辺部が遊技機の本体ケースの一辺部に枢支されると共に前記前扉の他辺部が前記前扉の一辺部の周囲を回動可能となるように設けられた遊技機に用いられ、前記前扉を前記本体ケースに施錠する遊技機用施錠装置において、
前記本体ケースにおける他辺部の略中間部に設けられた被係止部と
前記前扉における他辺部の略中間部に設けられると共に前記被係止部に対面するロック部とで構成され、
前記ロック部は、
前記本体ケースの被係止部を係止する係止位置と前記本体ケースの被係止部を係止しない非係止位置とに切替え可能に設けられた係止爪部材と、
前記係止爪部材に設けられた突起部と係合可能であるカム部材とを備え、
該カム部材が前記突起部と係合した状態で回転させられる場合に、前記係止爪部材は前記突起部と共に回動し、前記係止位置へと切替えられることを特徴とする遊技機用施錠装置。
【請求項２】
前記係止爪部材の回転量に応じて前記カム部材を駆動する駆動機構を備えることを特徴とする請求項１に記載の遊技機用施錠装置。
【請求項３】
前記ロック部は、前記係止爪部材を係止可能な保持部材を有し、該保持部材は第１保持爪及び第２保持爪を備え、前記保持部材は、前記第１保持爪及び第２保持爪を介して前記係止爪部材を段階的に係止することを特徴とする請求項１又は２に記載の遊技機用施錠装置。
【請求項４】
前記保持部材の前記第１保持爪が前記係止爪部材を係止する中間位置が、前記係止位置と非係止位置との間に設定され、前記係止爪部材は、前記カム部材の回動により、前記中間位置から、前記保持部材の前記第２保持爪が前記係止爪部材を係止する前記係止位置へと切替えられることを特徴とする請求項３に記載の遊技機用施錠装置。
【請求項５】
前記ロック部が、前記爪係止部材の回転量を検出する検出手段を備えることを特徴とする請求項１乃至４のいずれかに記載の遊技機用施錠装置。
【請求項６】
前記前扉の他辺部に補助係止片が設けられ、該補助係止片によって係止される被係止片が前記本体ケースの他辺部に設けられることを特徴とする請求項１乃至請求項５何れかに記載の遊技機用施錠装置。
【発明の詳細な説明】
【技術分野】
【０００１】  本発明は、パチンコ機、スロットマシンなどの遊技機の前扉を本体ケースに対して施錠する施錠装置に関する。
【背景技術】
【０００２】  従来のこの種の遊技機用施錠装置としては、後述の特許文献１に記載のものが公知となっている。【０００３】  この遊技機用施錠装置は、前扉と本体ケースとを備え、前扉がヒンジ等を介してその一辺部で本体ケースに枢支され、横方向に沿って他辺部が回動可能な構成を有する遊技機に用いられ、前扉を本体ケースに対して施錠するためのものである。【０００４】  遊技機用施錠装置は、本体ケースの他辺部における高さ方向の略中間部に設けられた被係止部としてのストライカと、前扉の他辺部における高さ方向の略中間部に、ストライカと対面可能に設けられたロック部とで構成されている。【０００５】  このロック部は、本体ケースのストライカを係止する係止位置、係止しない被係止位置とに切替え可能に設けられた係止爪部材と、前扉に固定されるとともに係止爪部材を保持するベースとを備えている。ベースには、本体ケースの一部に乗り上げ可能な乗り上げ部が設けられている。【０００６】  昨今の遊技形態の多様化並びに遊技機の多機能化を受け、遊技面を備えた前扉には多数の制御機器、表示装置などが搭載され、その結果、遊技面を備えた前扉はかなりの重量となっている。前扉の重量が重くなってくればその分、前扉を開放する際に、その自重で前扉が下方に若干下がってしまう状態、いわゆる“扉下がり”の状態が、発生しやすくなる。このため、前扉を本体ケースに対して閉じる場合、前扉を本体ケースに確実に施錠するためには、前扉を本体ケースに対して正しい高さ位置、つまり、ストライカを確実に係止できる正規の位置にまで、ロック部の係止爪部材を誘導する必要がある。【０００７】  先に述べた装置においては、前扉のロック部に、本体ケースの一部に乗り上げ可能な乗り上げ部が設けられているため、“扉下がり”が発生した場合でも、前扉のロック部の係止爪部材を、本体ケースのストライカに対する正規な位置に矯正することができ、前扉と本体ケースとの確実な施錠を実現することが可能な構成となっている。
【特許文献１】  特開２００３−１９０５６７号公報（図１、図３、図４参照）
【発明の開示】
【発明が解決しようとする課題】
【０００８】  遊技機の前扉は、たとえば、所定の作業（遊技機のメンテナンスなど）が終了した後に施錠される。この場合、作業者が前扉を本体ケースに向かって回動させていくと、まず、前扉の係止爪部材が本体ケースのストライカに当接する。この状態から、前扉を本体ケースに向かってさらに押し続けると、係止爪部材は、その枢支部を中心に回転しながらストライカをロック部の内側に引き込んでいく格好となる。その後、ロック部に別途設けられた保持部材により係止爪部材の回転がロックされた時点で、ストライカが係止爪部材によって完全に係止された状態となり、前扉と本体ケースとの間の施錠が完了する。【０００９】  しかしながら、かなりの重量となっている前扉を、係止爪部材がストライカと当接してから、係止爪部材にストライカをロック部の内側に引き込ませ、係止爪部材が保持部材によって完全にロックされる状態に至るまで押し続けるという作業は、作業をする者にとっては、思いのほか負荷が大きい。また、自分では閉めたつもりが実際には閉まっておらず、不完全な施錠となるケースも想定され、好ましくない。また、先に述べた“扉下がり”が発生している場合には、まず“扉下がり”を矯正した上で、先に述べた一連の作業を行う必要があり、作業者の負荷はより大きくなってしまう。【００１０】  よって、本発明は上記の問題点に鑑みてなされたものであり、作業者が前扉を本体ケースに対して施錠する作業をアシストし、作業者にかかる負荷を軽減することのできる遊技機用施錠装置を提供することを課題とする。
【課題を解決するための手段】
【００１１】  上記課題を解決するために、本発明にて講じた技術的手段は、請求項１に記載の様に、前扉の一辺部が遊技機の本体ケースの一辺部に枢支されると共に前記前扉の他辺部が前記前扉の一辺部の周囲を回動可能となるように設けられた遊技機に用いられ、前記前扉を前記本体ケースに施錠する遊技機用施錠装置において、該遊技機用施錠装置が、前記本体ケースにおける他辺部の略中間部に設けられた被係止部と前記前扉における他辺部の略中間部に設けられると共に前記被係止部に対面するロック部とで構成され、前記ロック部は、前記本体ケースの被係止部を係止する係止位置と前記本体ケースの被係止部を係止しない非係止位置とに切替え可能に設けられた係止爪部材と、前記係止爪部材に設けられた突起部と係合可能であるカム部材とを備え、該カム部材が前記突起部と係合した状態で回転させられる場合に、前記係止爪部材は前記突起部と共に回動し、前記係止位置へと切替えられる構成としたことである。【００１２】  好ましくは、請求項２に記載の様に、遊技機用施錠装置が、前記係止爪部材の回転量に応じて前記カム部材を駆動する駆動機構を備えると良い。【００１３】  好ましくは、請求項３に記載の様に、前記ロック部は、前記係止爪部材を係止可能な保持部材を有し、該保持部材は第１保持爪及び第２保持爪を備え、前記保持部材は、前記第１保持爪及び第２保持爪を介して前記係止爪部材を段階的に係止する構成とすると良い。【００１４】  好ましくは、請求項４に記載の様に、前記保持部材の前記第１保持爪が前記係止爪部材を係止する中間位置が、前記係止位置と非係止位置との間に設定され、前記係止爪部材は、前記カム部材の駆動により、前記中間位置から、前記保持部材の前記第２保持爪が前記係止爪部材を係止する前記係止位置へと切替えられる構成とすると良い。【００１５】  好ましくは、請求項５に記載の様に、前記ロック部が、前記爪係止部材の回転量を検出する検出手段を備えると良い。【００１６】  好ましくは、請求項６に記載の様に、前記前扉の他辺部に補助係止片が設けられ、該補助係止片によって係止される被係止片が前記本体ケースの他辺部に設けられると良い。
【発明の効果】
【００１７】  本発明によれば、被係止部を係止する係止爪部材に突起部が設けられており、突起部と係合した状態でカム部材が駆動機構により回転されることによって、係止爪部材が回動する。したがって、駆動機構によるカム部材の駆動が開始される中間位置を設定し、前扉の係止爪部材が中間位置まで回動した時点で駆動機構によるカム部材の駆動を開始することにより、以降の施錠動作、つまり、爪係止部材が被係止部を引き込んで完全に係止するまでの一連の動作を、駆動機構によってアシストすることができる。したがって、爪係止部材が中間位置に回動するまで前扉を本体ケースに向かって押し続けさえすれば、それ以降は、駆動機構により施錠動作がアシストされるので、作業者は何ら負担を強いられることはない。その結果、前扉を施錠する際の作業者にかかる負荷を軽減することができる。
【発明を実施するための最良の形態】
【００１８】  以下、本発明を実施するための最良の形態を、図面を基に説明する。【００１９】  図１は、本発明に係わる遊技機用施錠装置１０を備えた遊技機１の構成を示しており、遊技機１であるスロットマシンの前扉３が解錠され、前扉３が開放されている状態が模式的に描かれている。遊技機１は、本体ケース２と前扉３を備えている。遊技機１においては、前扉３の一辺部３ａがヒンジ３ｈを介して本体ケース２の一辺部２ａに枢支されており、前扉３の他辺部３ｂが横方向に沿って回動可能な構成となっている。つまり、本体ケース２の他辺部２ｂは前扉３の他辺部３ｂに対面し、本体ケース２の一辺部２ａは前扉３の一辺部３ａに対面する。【００２０】  遊技機用施錠装置１０は、被係止部としてのストライカ４と、ストライカ４を係止するロック部６、及び、ロック部６による前扉３の施錠を補助する副ロック部６ｓとで構成される。【００２１】  被係止部としてのストライカ４は、本体ケース２の他辺部２ｂにおける高さ方向の略中間部に、部材４ｐを介して取り付けられている。ストライカ４は、前扉３の他辺部３ｂに対面する側に設けられており、横方向に軸状に突出した形状となっている。ストライカ４は金属製でも硬質樹脂製でもよい。場合によっては、ストライカ４は、金属製または硬質樹脂製の芯体と、芯体の外周面に被覆された芯体よりも比較的軟質な樹脂またはゴム材で形成された被覆層とで構成することもできる。このように被覆層を設ければ、ストライカ４と後述するロック部６との間のがたが抑えられ、ロック部６によるストライカ４の係止性が向上する。また前扉３を閉じる際の異音の低減にも有効である。【００２２】  本体ケース２におけるストライカ４の近傍には、補助部材５が取り付けられている。補助部材５は本体ケース２の一部を構成するものであり、前扉３の他辺部３ｂと対面できるように設けられている。すなわち、補助部材５は本体ケース２の他辺部２ｂにおける高さ方向の略中間部に設けられている。補助部材５は金属製の板状部材を曲成して形成されており、円弧形状をなす第一案内面５ｇと、第一案内面５ｇに連続して設けられ、かつ後述する乗り上げ部６２が摺動可能な第一摺動面５ｓとを備えている。第一案内面５ｇの円弧形状としては、真円形状の円弧の一部を構成する形態でもよいし、楕円形状や長円形状の円弧の一部を構成する形態でもよい。第一摺動面５ｓは水平方向に沿っており、具体的には前扉３の開閉方向に沿って延設されている。【００２３】  ロック部６は、前扉３の他辺部３ｂにおける高さ方向の略中間部に設けられており、本体ケース２のストライカ４に対面可能となっている。以下、ロック部６について、詳しく説明する。【００２４】  図２に示される様に、ロック部６は、ロック部６の基体として機能する金属製のベース６０と、被係止部であるストライカ４を係止してロック機能を果す係止爪部材６１と、乗り上げ部６２とを備えている。さらに、ロック部６は、ポールとも呼ばれる保持部材６３と、保持部材６３と係止爪部材６１とを連動させるバネ部材６４と、キー（図示なし）により操作され、キー操作部として機能するキーシリンダ６５と、後述の突起部６１ｐを介して係止爪部材６１に係合するカム部材６６と���備えている。【００２５】  係止爪部材６１は、ベース６０上に、第１枢支部６１ａを中心とする回動が可能となるように設けられている。係止爪部材６１はほぼ扇形に類する形状をなしており、ストライカ４を係止する溝である係止溝６１ｂと、係止溝６１ｂに対面する突起状の第１係止爪６１ｃと、第１係止爪６１ｃから離れた位置に形成された突起状の第２係止爪６１ｄと、係止溝６１ｂと第２係止爪６１ｄの間に設けられ、紙面手前側に向かって突出する突起部６１ｐを備えている。【００２６】  乗り上げ部６２は、本体ケース２の一部である補助部材５に乗り上げ可能な構成となっており、その断面はＬ字形状を呈している。具体的には、図２に示される様に、ロック部６の一部である乗り上げ部６２は、自身の先端部に設けられた第２案内面６２ｇと、第２案内面６２ｇに連続して設けられ、補助部材５が相対的に摺動する第２摺動面６２ｓとを備えている。第２案内面６２ｇは、遊技機１の本体ケース２の一部である補助部材５に案内されるものであり、円弧形状をなしている。第２案内面６２ｇを構成する円弧形状としては、真円形状の円弧の一部を構成する形態でも良いし、楕円形状や長円形状の円弧の一部を構成する形態でも良い。乗り上げ部６２の第２摺動面６２ｓは水平方向に沿っており、具体的には前扉３の開閉方向に沿って延設されている。なお、乗り上げ部６２はロック部６のベース６０の下部に設けられており、係止爪部材６１、保持部材６３、カム部材６６、ストライカ４の下方に位置している。なお、本実施形態においては、前扉３に設けられたロック部６自身が乗り上げ部６２を備え、この乗り上げ部６２が乗り上げる補助部材５が、本体ケース２における乗り上げ部６２に対応する位置に設けられた構成となっているが、例えば、滑車を備えたキャスター状の部材を、前扉３の他辺部３ｂにロック部６と別個で設けると共に、同滑車が転動可能な案内面及び摺動面を備えた部材を、本体ケース２の他辺部２ｂの対応する位置に設ける構成を適用することも可能である。【００２７】  保持部材６３は、係止爪部材６１の係止機能を保持するものであり、ベース６０上に、第２枢支部６３ａを中心とする回動が可能となるように設けられている。保持部材６３はほぼ扇形に類する形状をなしており、キーシリンダ６５に向けて延設されたアーム部６３ｂと、係止爪部材６１の第２係止爪６１ｄを段階的に係止可能な第１保持爪６３ｃ及び第２保持爪６３ｄとを備えている。【００２８】  バネ部材６４はコイルバネであり、保持部材６３と係止爪部材６１との間に架設されている。具体的には、バネ部材６４の一端部である第１リング部６４ａは、保持部材６３の突起状の第１バネ座６３ｅに係合している。バネ部材６４の他端部である第２リング部６４ｂは、係止爪部材６１の突起状の第２バネ座６１ｅに係合している。バネ部材６４は保持部材６３を、その第２枢支部６３ａを中心に時計回りに付勢していると共に、係止爪部材６１を、その第１枢支部６１ａを中心に反時計回りに付勢している。すなわち、バネ部材６４は、保持部材６３及び係止爪部材６１を互いに逆方向に付勢している。保持部材６３が、第２枢支部６３ａを中心に反時計回りに回動すると、係止爪部材６１はバネ��材６４に引っ張られ、第１枢支部６１ａを中心に反時計回りに回動する。【００２９】  本実施形態によれば、遊技場の店員などの作業者がキー（図示なし）をキーシリンダ６５に差し込み、同キー（図示なし）を他方向（遊技機１のリセット方向）に回動操作すれば、キーシリンダ６５のロータ（図示なし）が回転操作される。これに応じて、その末端部に取り付けられた操作子６５ｍは、ロータ（図示なし）とともに回転し、リセット器６７であるフォトセンサの二股部を通過する。そして、遊技機１に発生したエラー信号（例えばコイン詰まりなどによりエラー信号）をリセットするリセット信号をリセット器６７が出力し、遊技機１のリセット操作が行われる。このように、作業者はキーシリンダ６５にキー（図示なし）を差込んで他方向（遊技機１のリセット方向）に回動操作すれば、前扉３を開放することなく遊技機１のリセット操作を行うことができる。【００３０】  一方、作業者がキー（図示なし）をキーシリンダ６５に差し込み、同キー（図示なし）を一方向（リセット方向と逆方向）に回動操作すれば、キーシリンダ６５のロータ（図示なし）が逆方向に回転操作され、これに応じて、操作子６５ｍが図２の紙面垂直方向に沿って回動する。その結果、回動する操作子６５ｍにより保持部材６３のアーム部６３ｂが押圧され、保持部材６３はその第２枢支部６３ａを中心に反時計回りに回動する。【００３１】  カム部材６６は、ベース６０上に、枢支軸６６ａを中心とする回動が可能となるように設けられている。カム部材６６は、作用面６６ｗを介して係止爪部材６１の突起部６１ｐと係合する、つまり、カム部材６６は、突起部６１ｐを介して係止爪部材６１と係合する構成となっている。【００３２】  図３に示される様に、カム部材６６は、ウォームＷ、ウォームホイールＷＨ、モータＭから構成される周知の駆動機構Ｄによって駆動される構成となっている。具体的には、カム部材６６の枢支軸６６ａが同時にウォームホイールＷＨの回転軸となっており、カム部材６６とウォームホイールＷＨとが一体に回転する構成となっている。本実施形態における駆動機構Ｄは、係止爪部材６１の回転量に応じてカム部材６６を駆動する構成となっている。モータＭの回転トルクがウォームＷを経由し、ウォームホイールＷＨへと伝達されていくメカニズムについては、周知のとおりである。なお、図２においては、説明の便宜上、駆動機構Ｄの描写は省略されている。【００３３】  ここで、副ロック部６ｓについて説明する。副ロック部６ｓは、ロック部６による前扉３の施錠を補助するためのものである。ロック部６と組み合わせて設置することにより、施錠状態にある前扉３と本体ケース２との間に生じる隙間を最小限に抑えることができ、同隙間を介して行われる遊技上の不正行為を防止することができる。【００３４】  副ロック部６ｓは、ロック部６と同じく、前扉３の他辺部３ｂに設けられている。副ロック部６ｓは、プレート部材Ｐと、補助係止片Ｆ１及びＦ２と、補助係止片Ｆ１とＦ２とを連結するリンク部材Ｌとから構成されている。金属製の板状部材であるプレート部材Ｐは、前扉３の他辺部３ｂに沿って取り付けられており、他辺部３ｂに沿って上下方向に延在している。プレー��部材Ｐにおける上側、下側の端部には、補助係止片Ｆ１及びＦ２が、枢支軸を中心とする回転が可能となるように、それぞれ設けられている。補助係止片Ｆ１とＦ２とは、リンク部材Ｌを介して互いに連結されている。このリンク部材Ｌは、キー（図示なし）によりロック部６を解錠する操作がなされた場合、同操作に連動して作動する構成となっている。この場合、リンク部材Ｌに接続された補助係止片Ｆ１とＦ２も、その枢支軸を中心に回動する。また、補助係止片Ｆ１、Ｆ２にそれぞれ係止される被係止片Ｔ１、Ｔ２が、本体ケース２の他辺部２ｂにおける、補助係止片Ｆ１、Ｆ２にそれぞれ対応する位置に設けられている。ロック部６が施錠されている場合、被係止片Ｔ１及びＴ２は、補助係止片Ｆ１及びＦ２により係止された状態となっているが、ロック部６を解錠する操作がなされた場合には、先に述べた様に、キー操作によるリンク部材Ｌの作動に伴って補助係止片Ｆ１及びＦ２がその枢支軸を中心に回動することによって、補助係止片Ｆ１及びＦ２による係止が解除され、副ロック部６ｓが、ロック部６に連動して解錠される構成となっている。【００３５】  次に、遊技機用施錠装置１０の作動について、図２ならびに図４を参照して説明する。ここで、図４は、前扉３を解錠ならびに施錠する際の一連の過程における、主要部材間の位置関係を示しており、ロック部６の係止爪部材６１、保持部材６３、カム部材６６、及び、ロック部６により係止されるストライカ４に着目した図である。【００３６】  はじめに、前扉３を解錠する場合について説明する。【００３７】  前扉３が遊技機１の本体ケース２に施錠されている状態（図２及び図４（ｃ）に示される状態：係止位置）のとき、キーシリンダ６５にキー（図示なし）を差し込んでキー（図示なし）を一方向（リセット方向と逆方向）に回動操作すれば、操作子６５ｍが図２の紙面垂直方向に沿って回動し、保持部材６３の被押圧部であるアーム部６３ｂが、第２枢支部６３ａを中心に反時計回りに押圧操作され、保持部材６３の全体が第２枢支部６３ａを中心として反時計回りに回動する。このように、保持部材６３が第２枢支部６３ａを中心に反時計回りに回動すると、保持部材６３の第２保持爪６３ｄが係止爪部材６１の第２係止爪６１ｄから離脱するため、保持部材６３の第２保持爪６３ｄと係止爪部材６１の第２係止爪６１ｄとの係止が解除される。そして、第２枢支部６３ａを中心に反時計回りに回動した保持部材６３がバネ部材６４（図２参照）を介して係止爪部材６１を引き寄せるため、係止爪部材６１が第１枢支部６１ａを中心として反時計回りに回動する。この結果、係止爪部材６１の係止溝６１ｂの向きが非係止方向に変更され、係止爪部材６１の係止溝６１ｂとストライカ４とが離脱可能となる（図４（ａ）に示される状態：“非係止位置”）。即ち、ロック部６が解錠される。このとき、副ロック部６ｓにおいては、先に述べたように、キー操作によるリンク部材Ｌの作動によって、補助係止片Ｆ１と被係止片Ｔ１、及び、補助係止片Ｆ２と被係止片Ｔ２との間の係止が解除される構成となっているため、ロック部６の解錠に連動して、副ロック部６ｓとしても、解錠がなされる。【００３８】  このように、ロック部６及び副ロック部６ｓが解錠された状態で、遊技場の店員などの作業者が、前扉３を開放する方向に回動させれば、前扉３を遊技機１の本体ケース２から開放することができる。【００３９】  次に、前扉３が開放されている状態から、前扉３を本体ケース２に対して施錠する場合について説明する。【００４０】  この場合、図１から理解できるように、作業者は、ヒンジ３ｈを中心として前扉３を本体ケース２に向かって回動させて、前扉３の他辺部３ｂを本体ケース２に接近させる。ここで、前扉３には遊技用の各種機器が搭載されるわけだが、昨今の遊技形態の多様化並びに遊技機の多機能化を受け、遊技機１の前扉３には非常に多くの機器類が搭載される状況になっている。そのため、前扉３は、かなりの重量となっているのが現状である。このため、前扉３が、その自重で下方に若干下がってしまう“扉下がり”が発生しているときがある。【００４１】  このように“扉下がり”が発生している場合、ロック部６の係止爪部材６１の高さ位置は、本来あるべき高さ位置よりも低めとなっている。このように前扉３の“扉下がり”が発生している場合であっても、前扉３を本体ケース２に対して閉めていくにつれ、図２に示される様に、前扉３におけるロック部６の乗り上げ部６２の第２案内面６２ｇが本体ケース２における補助部材５の第１案内面５ｇに乗り上がる。この乗り上がりに伴い、ロック部６の乗り上げ部６２は前扉３と共に持ち上がり、この結果、ロック部６の係止爪部材６１は、本来あるべき正しい高さ位置に誘導され、“扉下がり”が矯正される。このとき、ロック部６の乗り上げ部６２の第２案内面６２ｇは円弧状であり、補助部材５の第１案内面５ｇも円弧状であるため、ロック部６の乗り上げ部６２は、前扉３と共に本体ケース２の補助部材５に円滑に乗り上げることができる。乗り上げた後には、乗り上げ部６２は、前扉３を本体ケース２に対して閉じる方向に、補助部材５の第１摺動面５ｓに沿って摺動する。この結果、ロック部６の乗り上げ部６２は、前扉３と共に正しい高さ位置に誘導される。これにより、前扉３におけるロック部６の係止爪部材６１の係止溝６１ｂも正しい高さ位置に誘導され、係止爪部材６１の係止溝６１ｂがストライカ４に正確に対向するようになる。【００４２】  この状態で、作業者が前扉３を本体ケース２に向かってさらに回動させると、係止爪部材６１における係止溝６１ｂを区画する当接面６１ｓに、ストライカ４が当接した状態となる（図４（ａ）に示される状態）。【００４３】  引き続いて前扉３を押し続けると、係止爪部材６１は、係止溝６１ｂにおける当接面６１ｓを介してストライカ４に押されるため、係止爪部材６１は、第１枢支部６１ａを中心として時計回りに回転する。この場合、係止爪部材６１の第２バネ座６１ｅも同方向に第１枢支部６１ａを中心として回動し、ひいては、バネ部材６４により保持部材６３が時計回りに引き寄せられ、第２枢支部６３ａを中心として回転する（図２参照）。そして、係止爪部材６１の第２係止爪６１ｄが、保持部材６３の第１保持爪６３ｃにより係止された状態に至る（図４（ｂ）に示される状態：“中間位置”）。この“中間位置”は、図４（ａ）に示される“非係止位置”と、図４（ｃ）に示さ��る“係止位置”との間に設定されている。つまり、係止爪部材６１は、第１係止爪６１ｃがストライカ４を係止する“係止位置”と、上述の“中間位置”、ならびに、第１係止爪６１ｃがストライカ４を係止せずに互いに離脱している“非係止位置”とに切替え可能に設けられている。【００４４】  ここで、前扉３を本体ケース２に向かって押す作業は、係止爪部材６１と保持部材６３とが、図４（ｂ）に示される“中間位置”に到達するまででよく、これ以降の施錠動作に関しては、先に述べた駆動機構Ｄと、それにより駆動されるカム部材６６とによってアシストされる。この場合、係止爪部材６１と保持部材６３とが“中間位置”に到達したことを検出する必要がある。本実施形態においては、周知の回転量センサ（図示なし）を係止爪部材６１に適用することにより、係止爪部材６１がどれだけ回転したか（回転量）を検出することが可能な構成となっており、係止爪部材６１が“中間位置”にまで回転したことを検出することができる。【００４５】  なお、上記の“中間位置”が設定されない構成も可能である。すなわち、保持部材６３が、係止爪部材６１の第２係止爪６１ｄとの間で“中間位置”を設定するための第１保持爪６３ｃを備えない場合には、周知の回転量センサ（図示なし）を用いて保持部材６３そのものの回動を検出し、この回動量に基づいた適切なタイミングで、カム部材６６の駆動を開始する構成とすればよい。【００４６】  係止爪部材６１が、図４（ａ）の“非係止位置”から図４（ｂ）の“中間位置”にまで回転したことが検出されると、駆動機構Ｄによるカム部材６６の駆動が開始され、カム部材６６は、枢支軸６６ａを中心に反時計回りに回転する。その後ほどなくして、カム部材６６は、カム作動面である作用面６６ｗを介して係止爪部材６１に設けられた突起部６１ｐと係合する。この状態で、カム部材６６が駆動機構Ｄにより回転を続けると、カム作動面である作用面６６ｗと、係止爪部材６１の突起部６１ｐとが作用し合うことによって、係止爪部材６１は、係止溝６１ｂ内でストライカ４を係止した状態のまま、第１枢支部６１ａを中心に時計回りに回動する。そして、係止爪部材６１の第２係止爪６１ｄが、保持部材６３の第２保持爪６３ｄにより係止された状態に至る。（図４（ｃ）に示される状態：“係止位置”）このとき、係止爪部材６１は第１枢支部６１ａを中心に反時計回りには回転できないように規制された状態となっている。この時点で、係止爪部材６１の係止溝６１ｂの開口は下向きとなり、ストライカ４は、係止爪部材６１の第１係止爪６１ｃによって完全に係止され、ロック部６の施錠が完了する。ここで、保持部材６３は、上述した様に、その第１保持爪６３ｃと第２保持爪６３ｄとによって、係止爪部材６１の第２係止爪６１ｄを段階的に係止することが可能な構成となっている。つまり、保持部材６３は、第１保持爪６３ｃ及び第２保持爪６３ｄのいずれも係止爪部材６１の第１係止爪６１ｄを係止せずに互いに離脱している“非係止位置”と、第１保持爪６３ｃが係止爪部材６１の第１係止爪６１ｄを係止する“中間位置”、ならびに、第２保持爪６３ｄが係止爪部材６１の第２係止爪６１ｄを係止する“係止位置”とに切替え可能に設けら��ている。【００４７】  一方、カム部材６６は、係止爪部材６１が“係止位置”に到達した後も、係止爪部材６１によるストライカ４の係止をより確実にするという目的で、さらに回転し、その作用面６６ｗの末端で爪係止部材６１の突起部６１ｐと係合した状態に至る。（図４（ｄ）に示される状態：“オーバーストローク位置”）。この場合、係止爪部材６１によって、ストライカ４が、“係止位置”をこえてさらにいったん引き込まれることになり、ストライカ４をより確実に係止するという意味で有効な構成となっている。【００４８】  その後、カム部材６６は、図４（ａ）に示される、カム部材６６としての“初期位置”に至るまで回転し続け、同位置に戻った時点で、駆動機構Ｄによるカム部材６６の駆動は終了される。これは、前扉３を解錠する際に、解錠にともなう係止爪部材６１の動き、すなわち、第１枢支部６１ａを中心とした係止爪部材６１の回動によって、爪係止部材６１の突起部６１ｐとカム部材６６の作用面６６ｗとが干渉しないようにするための機構である。したがって、カム部材６６は、爪係止部材６１によってストライカ４が完全に係止された後も、図４（ａ）に示される、カム部材６６としての“初期位置”に至るまで回転し、そして停止する。つまり、駆動機構Ｄによる駆動がなされない場合には、カム部材６６は常に一定の位置でスタンバイする構成となっている。【００４９】  一方、副ロック部６ｓにおいては、上述のロック部６での、“非係止位置”から“中間位置”を経て“係止位置”へと至る一連の過程にともなって、補助係止片Ｆ１及びＦ２が、その枢支軸を中心に回動しながら被係止片Ｔ１及びＴ２に乗り上がり、最終的には、補助係止片Ｆ１及びＦ２が、そのツメ状の先端部を介して、被係止片Ｔ１及びＴ２を係止する状態に到達する。これにより、副ロック部６ｓとしても、ロック部６に連動するかたちで施錠がなされたことになり、その結果、遊技機１の本体ケース２に対する前扉３の施錠が完了する。【００５０】  なお、本実施形態においては、本発明の遊技機用施錠装置１０を備えた遊技機１として、スロットマシンを適用した場合の説明を行ってきたが、遊技機１としては、パチンコ機を適用することも可能である。この場合、遊技機１の前扉３は、一辺部が前扉３に支持されると共に前扉３に対する開閉が可能なガラスパネルを、パチンコ機としての構造上、さらに備えることになる。したがって、本体ケース２に対する前扉３の施錠と、前扉３に対するガラスパネルの施錠の両方を可能にするために、例えば、ガラスパネルを前扉３に対して施錠及び解錠する機構として、本実施形態の副ロック部６ｓにおける補助係止片Ｆ１及びＦ２と、これらに対応する被係止片Ｔ１及びＴ２と同様な構成を適用し、キーシリンダ６５におけるキー操作時に、キーを回動する方向によって、本体ケース２に対する前扉３の解錠と、前扉３に対するガラスパネルの解錠とを、選択的に行うことができるような構成とするとよい。【００５１】  なお、本実施形態における駆動機構Ｄに関しては、前扉３の施錠時における異物の挟み込みを検出する機能を追加する構成も可能である。この場合、例えば、カム部材６６が駆動されている時のモータＭの電流値を周知のセンサ���によって常時モニターし、モータＭにおける異常電流が検出された時点でモータＭの駆動を停止する構成とする。この構成によれば、前扉３と本体ケース２の間に異物（例えば、作業者の手）が挟まった状態でカム部材６６の駆動が開始されたとしても、異物挟み込みによるモータＭの異常電流が検出された時点でモータＭの駆動が即座に停止される。同時にカム部材６６の駆動も停止され、前扉３と本体ケース２の間に挟まった異物に圧迫力が作用し続けるという事態を回避することができる。この異物挟み込み検出機能を駆動機構Ｄに適用することによって、施錠動作時における安全性を向上させることができ、さらには、何らかの理由でモータＭに異常電流が流れた場合でも、モータＭの駆動（モータＭへの通電）を即座に停止することによって、異常電流によるモータＭの損傷を未然に防ぐことができる。【００５２】  以上説明したように、本発明の遊技機用施錠装置１０によれば、ストライカ４を係止する係止爪部材６１に突起部６１ｐが設けられており、突起部６１ｐと係合した状態でカム部材６６が駆動機構Ｄにより回転されることによって、係止爪部材６１が回動する。したがって、駆動機構Ｄによるカム部材６６の駆動が開始される“中間位置”を設定し、前扉３の係止爪部材６１が“中間位置”まで回動した時点で駆動機構Ｄによるカム部材６６の駆動を開始することにより、以降の施錠動作、つまり、爪係止部材６１がストライカ４を引き込んで完全に係止するまでの一連の動作を、駆動機構Ｄによってアシストすることができる。したがって、爪係止部材６１が“中間位置”に回動するまで前扉３を本体ケース２に向かって押し続けさえすれば、それ以降は、駆動機構Ｄにより施錠動作がアシストされるので、作業者は何ら負担を強いられることはない。その結果、前扉３を施錠する際の作業者にかかる負荷を軽減することができる。
【図面の簡単な説明】
【００５３】
【図１】本発明の実施形態における遊技機用施錠装置を備えた遊技機の構成を示す斜視図である。
【図２】ロック部がストライカを係止した状態（係止位置）において、要部の構成を示す図である。
【図３】ロック部及び副ロック部の構成を示す図である。
【図４】前扉を解錠ならびに施錠する際の一連の過程における、主要部材間の位置関係を示す図である。
【符号の説明】
【００５４】１  遊技機
１０  遊技機用施錠装置
２  本体ケース
２ａ  一辺部
２ｂ  他辺部
３  前扉
３ａ  一辺部
３ｂ  他辺部
４  被係止部
６  ロック部
６１  係止爪部材
６１ｐ  突起部
６３  保持部材
６３ｃ  第１保持爪
６３ｄ  第２保持爪
６６  カム部材
Ｄ  駆動機構
Ｆ１、Ｆ２  補助係止片
Ｔ１、Ｔ２  被係止片
【図１】
2005087692.tif 000003
【図２】
2005087692.tif 000004
【図３】
2005087692.tif 000005
【図４】
2005087692.tif 000006